(57)【要約】【課題】フェースプレートを有するディスプレイ装置から簡単に取り付けたり、取り外したりできるシールドであって、ディスプレイ装置の外観を損なわない。【解決手段】シールドをフェースプレートから離脱するため、回転可能なカムとそのカムを駆動するためのレバーとを有する離脱手段を具備し、前記離脱手段が、シールドやフェースプレートの前面と平坦な面を形成する。【選択図】図１
2005136987.tif 000002
【特許請求の範囲】
【請求項１】
フェースプレート（１）を有し、ハウジングに取り付けられるディスプレイデバイスを備えたビデオディスプレイ装置において、前記フェースプレート（１）の前面に離脱可能なシールド（２）が取り付けられていることを特徴とするビデオディスプレイ装置。
【請求項２】
前記シールド（２）が透明である、請求項１記載のビデオディスプレイ装置。
【請求項３】
前記シールド（２）の離脱のための手段（４）を具備する、請求項１記載のビデオディスプレイ装置。
【請求項４】
前記離脱のための手段（４）が回転可能なカム（８）を具備する、請求項３に記載のビデオディスプレイ装置。
【請求項５】
前記カム（８）を回転させるために、前記回転可能なカム（８）にレバー（３）が駆動できるように連結されている、請求項４記載のビデオディスプレイ装置。
【請求項６】
前記レバー（３）が前記シールド（２）に隣接する凹部に収納される、請求項５記載のビデオディスプレイ装置。
【請求項７】
前記レバー（３）が、前記シールド（２）の前面と相互に平坦な面を形成する、請求項６記載のビデオディスプレイ装置。
【請求項８】
前記レバー（３）が、前記フェースプレート（１）の前面と相互に平坦な面を形成する、請求項６記載のビデオディスプレイ装置。
【請求項９】
前記離脱のための手段（４）が、前記回転可能なカム（８）を支承するベースプレート（６）を有する、請求項３記載のビデオディスプレイ装置。
【請求項１０】
前記ベースプレート（６）が、前記カム（８）を前記ベースプレート（６）にロックするためのロック部材（１１）を有する、請求項９記載のビデオディスプレイ装置。
【請求項１１】
前記ベースプレート（６）が、前記シールド（２）上に取り付けられる、請求項９記載のビデオディスプレイ装置。
【請求項１２】
前記フェースプレート（１）上に前記シールドを位置決めするために、前記ベースプレート（６）は第１のインデックス要素（１３）を具備し、且つ前記フェースプレート（１）は相補的な第２のインデックス要素（１７）を具備する、請求項９記載のビデオディスプレイ装置。
【発明の詳細な説明】
【技術分野】
【０００１】
本発明は、ハウジングに取り付けられ、フェースプレートを有するディスプレイデバイスを備えたディスプレイ装置に関するものである。
【背景技術】
【０００２】
最近のディスプレイ装置のフェースプレートの表面は、通常、反射を弱めるために、そして、ひっかき傷やその他の機械的な損傷に対してその表面を強化するためにコーテングが施されている。投写型ディスプレイに対しては、好ましい画質を実現するために、さらに光学的な要素をフェースプレートは含んでいる。
【０００３】
このような技術に関する公知技術として、例えば、特許文献１が知られており、そこには、ひっかき傷、汚染、そして、画質に有害となるその他の環境的影響に対してスクリーンを保護するために、保護、或いは装飾のためのスクリーンシールドを備えたディスプレイに関する技術が開示されている。そのスクリーンシールドは特に明るい日光が存在する場合の画像のコントラストを改善するために着色もできるようになっている。優れた表面の質を維持するため、或いは保護スクリーンに着色を施すために、ディスプレイ上に、取り外し可能な形式で保護スクリーンが配設できることが好ましい。このようにすれば、使用者は、現在使用している保護スクリーンを新しいもの、或いは色合いの異なるものと取り替え可能となるからである。
【特許文献１】特開２０００−１８２５１９号公報
【発明の開示】
【発明が解決しようとする課題】
【０００４】
簡単に取り付けたり、取り外したりできるシールドを備えたディスプレイ装置を提供することが望まれている。さらに、ディスプレイ装置の外観が損なわれなければより好ましい。本発明は、これらの要求に応えるディスプレイ装置を提供するものである。
【課題を解決するための手段】
【０００５】
本発明のビデオディスプレイ装置は、ハウジングに取り付けられたフェースプレートを有するディスプレイデバイスから構成される。シールドは、簡単に取り替え、交換可能なように離脱可能な形式でフェースプレートの前に取り付けられる。発明の有利な実施形態として、シールドは透明である。シールドを取り外す手段が設けられていると便利である。本発明の特に有利な実施形態において、取り外し手段は回転可能なカムを有している。さらに、取り外し手段は、回転可能なカムを支えるベースプレートも有している。カムを回転させるために、レバーがカムと駆動可能に連結してもよい。ディスプレイ装置の外観の観点から、シールドに隣接する凹部にそのレバーを収納できると有利である。好ましくは、そのレバーは、シールドの表面、或いはフェースプレートの表面と表面的に平坦な関係を形成する。
【０００６】
本発明の他の実施の形態として、取り外し手段が、回転可能なカムを支承するベースプレートを有している。ベースプレートは、そのベースプレートにカムをロックするためのロック部材を有していても良い。そのベースプレートがシールドに取り付けられれば好適である。
【０００７】
好ましい実施の形態では、ベースプレートは第１のインデックス要素と、そして、フェースプレートはそのフェースプレートの上にシールドを位置決めするために相補的な第２のインデックス要素を有している。
【発明の効果】
【０００８】
本発明によれば、簡単に取り付けたり、取り外したりできるシールドを備えたディスプレイ装置を提供することできる。さらに、ディスプレイ装置の外観が損なわれることがない。
【０００９】
本発明の全ての実施の形態が有する付加的な利点は、子供達が簡単にシールドを取りはずことができないことであり、そして、もし、シールドがもはやフェースプレートの上に固定できなくなった場合に引き起こされるかもしれない如何なる種類の怪我から子供たちを保護できる、例えば、外れたシールドが子供の足の上に落ちて、足を怪我させることから子供たちを保護できる。
【発明を実施するための最良の形態】
【００１０】
図面には、本発明の典型的な実施例が示されている。
【００１１】
図１は、本発明のディスプレイ装置の典型的な実施形態の正面図である。簡単のために、以下本発明をテレビ受像機に関連づけて説明する。しかし、本発明は、テレビ受像機に限定されず、いかなる種類のディスプレイ装置、例えば、コンピュータモニタなどにも適用可能である。
【００１２】
図１は、図示されないテレビキャビネットのフロントパネル、又はフェースプレート（１）の正面図を示している。キャビネットには、受信機と、陰極線管（ＣＲＴ）表示器、液晶表示器（ｌｉｕｉｄ  ｃｒｙｓｔａｌ  ｐａｎｅｌ）、プラズマパネル、或いは背面投写型ディスプレイのスクリーンのようなディスプレイ装置が格納されている。フェースプレート（１）は、その中心部に切り抜き窓（５），即ち凹部を有し、その窓或いは凹部は、ディスプレイデバイスのフェースプレートの前面に、保護スクリーンシールド（２）を格納するようになっている。窓（５）やシールドの寸法は、図１に示すようにフェースプレート（１）とシールド（２）とが平らな表面を形成するような寸法が決められる。
【００１３】
表面を平らにすると、フェースプレートの凹部からシールドを取り外すことが非常に難しくなる。そのため、回転可能なレバー（３）が、シールド（２）の側面に設けられている。シールド（２）が取り付けられるとき、レバー（３）は、図１の右側に示すように、シールド（２）とフェースプレート（１）とで形成される表面と面一になるようにする。そのため、レバーの視認性は限られ、デザイン上の見地から非常に好ましい。図１の左側の拡大した部分に示すように、レバー（３）は、指先でレバーアームを押すことにより水平軸を中心に回転可能であり、それによって、反対側のレバーアームをフェースプレートの表面上に起立させる。
【００１４】
なお、図１の拡大部分図は裏面側からシールド（２）の各部分が図示されている。各レバー（３）は、離脱機構（４）の一部を構成しており、かつ離脱を実行するために効果的である。この離脱機構は、図１のフェースプレート（１）の左側及び右側に、フェースプレートの裏面側から見て異なるスケールで詳細に描かれている。離脱機構（４）の構成及び機構は後でさらに詳細に説明する。
【００１５】
図２は、フェースプレート（１）を図示しない状態で裏面から見た取り付け状態のシールド（２）を示している。取り付け状態では、図１の説明ですでに説明したように、両方のレバー（３）とも、シールド（２）の表面と面一になっている。離脱機構（４）は、シールド（２）の裏面に強固に固定された、例えば、モールドによる固定された、或いは接着により固定されたベースプレート（６）を有している。レバー（３）は、カム（８）を支持する回転可能なシャフト（７）に配設されている。
【００１６】
図３（ａ）は、離脱機構（４）の斜視図である。レバー（３）は高さがＨのカム（８）を支持するシャフト（７）に強固に固定されている。離脱機構（４）の組み立てにおいて、シャフト（７）はベースプレート（６）の一部である２つの湾曲部（９）の下に挿入される。結局、ロックプレート（１１）は、シャフト（７）が回転可能なように取り付けられる支承部を形作るために、２つの湾曲部（９）の間で、且つシャフト（７）とベースプレート（６）との間に挿入される。挿入される間、ロックプレート（１１）は、２つのラテラルサイド（１２ａ）、（１２ｂ）及びフロントサイド（１２ｃ）を有するリッジによってガイドされる。フロントサイド（１２ｃ）は、ロックプレート（１１）の挿入に対して効果的な当設受けとなる。インデックス突起（１３）はベースプレート（６）の一部を形成する。
【００１７】
図３（ｂ）は、シールド（２）がフェースプレート（１）の装着されるべき場所に取り付けられた状態で組み立てられた離脱機構（４）の側断面図である。フェースプレート（１）には、離脱機構（４）のベースプレート（６）を収納するために凹部（１４）が設けられている。フェースプレート（１）のアーチ部（１６）は、ベースプレート（６）のカム（８）と湾曲部（９）を非常に接近した状態で覆っている。アーチ部（１６）に近接して、フェースプレートには位置合わせ開孔部（１７）が設けられている。インデックス突起（１３）はインデックス開孔部（１７）と共働し、シールド（２）はフェースプレート（１）上で適切な位置決めを保証する。
【００１８】
シールド（２）を取り外す場合は、使用者はレバー（３）をカム（８）を図３（ｂ）において時計回りに回転させる。その結果、カム（８）の周縁部がアーチ部（１６）と接触し、そして図３（ｂ）において左側に向かう力を発生させる。その力はシールド（２）を凹部（１４）の外に出し、また、フェースプレート（１）の窓（５）から外れるように作用する。よって、使用者は、シールド（２）をフェースプレート（１）から完全に離脱するためにシールド（２）の縁を簡単に摘むことができる。
【００１９】
新しいシールド（２）を取り付ける場合は、レバーがシールド（２）の面と平行になるよう調整する。そして、インデックス突起（１３）がインデックス開孔部（１７）に合うように調整され、シールド（２）が窓（５）に押しつけられる。インデックス突起（１３）の頭部を円錐形にすれば、シールド（２）の取り付けの最初の段階で、シールド（２）を正しい位置から僅かな許容誤差でもって適切に位置決めすることができる。
【００２０】
なお、本発明は、フェースプレートが装置の前面に配置された実施例に限定されるものでなく、シールド（２）が必ずしも保護スクリーンシールドである必要はない。
【図面の簡単な説明】
【００２１】
【図１】図１は、保護スクリーンを備えた本発明のディスプレイ装置の正面図である。
【００２２】
【図２】図２は、離脱機構を備えた図１の保護スクリーンの裏面図である。
【００２３】
【図３】図３は、図２の離脱機構の詳細を示す図である。
【符号の説明】
【００２４】
１      フェースプレート
２      シールド
３      レバー
４      離脱機構
５      窓
６      ベースプレート
７      シャフト
８      カム
９      湾曲部
１１    ロックプレート
１２ａ  ラテラルサイド
１２ｂ  ラテラルサイド
１２ｃ  フロントサイド
１３    インデックス突起
１４    凹部
１６    アーチ部
１７    インデックス開孔部
【図１】
2005136987.tif 000003
【図２】
2005136987.tif 000004
【図３】
2005136987.tif 000005